(57)【要約】【課題】ユーザーの所望する人物などが登場する放送内容を容易に録画することが可能な録画再生装置を提供する。【解決手段】ＨＤＤ内蔵レコーダ１０では、メイン制御部１２のＲＯＭ１１ａに記憶された録画プログラムＰＧが開始すると、放送受信部２６で受信された映像信号に基づく動画データをＨＤＤ２３に全て一時録画する。キーワード登録部４１には、ユーザが入力したキーワードが登録されている。メイン制御部１２は、キーワードに関する対象画像をキーワード検索実行部４２によってインターネット５０の検索エンジン５１で検索し、この対象画像を対象画像登録部４３に登録し、さらにＨＤＤ２３に一時録画された動画データから対象画像が検出されるか否かを監視し、対象画像が検出された放送番組を保存する。【選択図】図１
2008160556.tif 000002
【特許請求の範囲】
【請求項１】
放送用の映像信号を受信するチューナと、このチューナで受信した映像信号を信号処理して動画データに変換する信号処理手段と、動画データを記憶する記憶する記憶手段と、キーワードを登録する登録手段と、これらを制御する制御手段とを備え、前記キーワードに関連する放送内容の前記動画データを前記記憶手段に保存し、前記記憶媒体から動画データを読み出して動画を再生する録画再生装置において、
前記登録手段に登録されたキーワードに関連する対象画像を検索する検索手段と、前記検索手段で探し出された対象画像と一致する画像を前記動画データから検出する対象画像検出手段とを備え、前記制御手段は、前記チューナで受信して取得した動画データの全てを前記記憶手段に一時的に記憶させておき、これら全ての動画データの中から、前記対象画像検出手段によって前記対象画像が検出された放送内容の前記動画データを保存させることを特徴とする録画再生装置。
【請求項２】
前記制御手段は、前記対象画像を前記動画データに関連付けて保存することを特徴とする請求項１記載の録画再生装置。
【請求項３】
前記制御手段は、前記記憶手段に一時保存した動画データのうち、前記対象画像が検出された放送内容の動画データのみを残し、それ以外の動画データを消去させることを特徴とする請求項１又は２記載の録画再生装置。
【請求項４】
前記対象画像検出手段は、前記動画データのうち、所定フレーム数毎に静止画フレームを抜き出して、その静止画フレーム中から前記対象画像と一致する画像を検出することを特徴とする請求項１ないし３記載の録画再生装置。
【請求項５】
電子番組ガイド情報を取得する情報取得手段を備え、前記制御手段は、前記情報取得手段で取得した電子番組ガイド情報から各放送番組の放送時間を取得し、放送番組の終了時間となったとき、その放送番組に対応する前記動画データから前記対象画像が検出されたか否かを認識し、前記動画データの保存又は削除を実行させることを特徴とする請求項１ないし４記載の録画再生装置。
【発明の詳細な説明】
【技術分野】
【０００１】
本発明は、テレビ放送などの映像信号を受信して動画データを記憶及び再生する録画再生装置に関するものである。
【背景技術】
【０００２】
近年、地上波デジタル放送や衛星放送が益々普及してきており、これにともなってテレビ放送の番組などを録画／再生するＤＶＤレコーダやＨＤＤ内蔵ビデオレコーダなどの録画再生装置の需要が高まっている。
【０００３】
最近では、このような録画再生装置の多くは番組の予約録画を簡単にするため、電子番組ガイド情報を使用する機能を持っている。この電子番組ガイド情報は、例えば特許文献１〜３に記載されているように、インターネットによって配信、あるいは番組放送用の電波の隙間を使って送信されており、これらのデータを受信し、専用のソフトを使用して読み取りが可能となっている。
【０００４】
上述したような電子番組ガイドを使用することで、例えば特許文献４に記載されているように、ユーザーの所望するキーワード、例えばタレント名やスポーツ名などを登録しておけば、そのキーワードを電子番組ガイドから自動的に検索して、対象番組を録画することが可能となっている。
【特許文献１】特開平９−１９１２３５号公報
【特許文献２】特開平９−２００６３８号公報
【特許文献３】特開２００１−１２８０７６号公報
【特許文献２】特開平１０−２８５５２８号公報
【発明の開示】
【発明が解決しようとする課題】
【０００５】
しかしながら、多チャンネル化や、多種多様なテレビ番組の構成、例えばライブ放送で出演者が急遽変更になるなどの影響もあり、テレビ番組に出演する全ての出演者を電子番組ガイドに掲載することは不可能となっている。よって、上記特許文献１〜４記載の構成では、ユーザが所望する人物が電子番組ガイドに掲載されない場合、あるいは、コマーシャルなど電子番組ガイドに放送内容自体が掲載されない場合では、録画再生装置で録画が行われないことになる。
【０００６】
本発明は、上記事情を考慮してなされたものであり、ユーザの所望する人物、キャラクターが登場する放送内容を簡単な操作で容易に録画することが可能な録画再生装置を提供することを目的とする。
【課題を解決するための手段】
【０００７】
本発明は、放送用の映像信号を受信するチューナと、このチューナで受信した映像信号を信号処理して動画データに変換する信号処理手段と、動画データを記憶する記憶する記憶手段と、キーワードを登録する登録手段と、これらを制御する制御手段とを備え、前記キーワードに関連する放送内容の前記動画データを前記記憶手段に保存し、前記記憶媒体から動画データを読み出して動画を再生する録画再生装置において、前記登録手段に登録されたキーワードに関連する対象画像を検索する検索手段と、前記検索手段で探し出された対象画像と一致する画像を前記動画データから検出する対象画像検出手段とを備え、前記制御手段は、前記チューナで受信して取得した動画データの全てを前記記憶手段に一時的に記憶させておき、これら全ての動画データの中から、前記対象画像検出手段によって前記対象画像が検出された放送内容の前記動画データを保存させることを特徴とする。
【０００８】
なお、前記制御手段は、前記対象画像を前記動画データに関連付けて保存することが好ましい。また、前記制御手段は、前記記憶手段に一時保存した動画データのうち、前記対象画像が検出された放送内容の動画データのみを残し、それ以外の動画データを消去させることが好ましい。
【０００９】
さらにまた、前記対象画像検出手段は、前記動画データのうち、所定フレーム数毎に静止画フレームを抜き出して、その静止画フレーム中から前記対象画像と一致する画像を検出することが好ましい。あるいは、電子番組ガイド情報を取得する情報取得手段を備え、前記制御手段は、前記情報取得手段で取得した電子番組ガイド情報から各放送番組の放送時間を取得し、放送番組の終了時間となったとき、その放送番組に対応する前記動画データから前記対象画像が検出されたか否かを認識し、前記動画データの保存又は削除を実行させることが好ましい。
【発明の効果】
【００１０】
本発明の録画再生装置は、登録手段に登録されたキーワードに関連する対象画像を検索する検索手段と、検索手段で探し出された対象画像と一致する画像を動画データから検出する対象画像検出手段とを備え、制御手段は、チューナで受信して取得した動画データの全てを記憶手段に一時的に記憶させておき、これら全ての動画データの中から、対象画像検出手段によって対象画像が検出された放送内容の動画データを保存させるので、ユーザの所望する人物、キャラクターが登場する放送内容を簡単な操作で容易に録画することできる。
【発明を実施するための最良の形態】
【００１１】
以下、図面を参照して本発明を実施した録画再生装置としてのＨＤＤ内蔵レコーダについて説明する。ＨＤＤ内蔵レコーダの電気的構成の概略を図１に示す。ＨＤＤ内蔵レコーダ１０は、ＣＰＵ１１を主構成要素とし、各部を統括的に制御するメイン制御部１２を備えている。ＣＰＵ１１は、ＲＯＭ１１ａ，ＲＡＭ１１ｂを有し、データバス１３を介して画像入力コントローラ１６、画像信号処理回路１７、圧縮処理回路１８、ビデオエンコーダ１９、三次元ＹＣ検出回路２１、ＳＤＲＡＭ２２、ＨＤＤ（ハードディスクドライブ）２３、及び操作部２４が接続されている。
【００１２】
操作部２４としては、レコーダ本体に設けられた操作スイッチ、及びリモコン装置などからなり、画像の記録／再生に必要なユーザーの入力操作を検知し、操作信号をＣＰＵ１１に送る。
【００１３】
さらにＨＤＤ内蔵レコーダ１０は、放送受信部２６と、放送受信部２６及び画像入力コントローラ１６に接続されたＡ／Ｄ変換回路２７と、インターネット接続Ｉ／Ｆ２８とを設けている。放送受信部２６は、アンテナ２６ａによってテレビ放送などの電波を受信し、ユーザーが選択した放送局に応じたアナログまたはデジタルの受信信号を映像信号に変換し、アナログの映像信号の場合はＡ／Ｄ変換回路２７へ送信し、デジタルの映像信号の場合は画像入力コントローラ１６へ送信する。そして、メイン制御部１２は、Ａ／Ｄ変換回路２７によってアナログからデジタルに変換された映像信号、または放送受信部２６から送信されたデジタルの映像信号を画像入力コントローラ１６を経て、ＳＤＲＡＭ２２に一時記憶させる。なお、本実施形態においては、放送受信部２６は、複数のチューナから構成されており、テレビ放送用の電波を複数同時に受信することができる。
【００１４】
画像信号処理回路１７は、ＳＤＲＡＭ２２に一時記憶されたデジタルの映像信号に対して階調変換、ホワイトバランス補正、γ補正等の各種画像処理、及びＹＣ変換処理等を施して動画データを形成する。また、三次元ＹＣ検出回路２１は、輝度信号及び色信号から動き検出を行ってノイズの低減などを行う。メイン制御部１２は、各種処理が施された動画データを圧縮処理回路１８によってＡＶＩやＭＰＥＧなど圧縮形式で圧縮した後、ＨＤＤ２３を制御して動画データを記憶させる。
【００１５】
ビデオエンコーダ１９では、動画データ、または入力を行うためのメニュー画面などをビデオ信号に変換してモニタ２９に出力し、このビデオ信号を受信したモニタ２９は、表示画面２９ａに動画、あるいはメニュー画面などを表示する。
【００１６】
インターネット接続Ｉ／Ｆ２８は、一般的な公衆回線などを介してインターネットに接続し、各種データの送受信を行う。本実施形態では、後述する電子番組ガイド情報の取得及び検索エンジンによる画像検索のためにインターネットに接続する。
【００１７】
さらに、メイン制御部１２は、ＲＯＭ１１ａに記憶された録画処理プログラムＰＧを実行することによって、キーワード登録部４１、キーワード検索実行部４２、対象画像登録部４３、対象画像検出部４４として機能する。キーワード登録部４１は、ユーザーが入力する人物やキャラクターなどのキーワードを記憶して登録するものである。このキーワードとしては、ユーザーが所望する人物やキャラクターの名称などを入力する。
【００１８】
キーワード検索実行部４２は、インターネット接続Ｉ／Ｆ２８を動作させてインターネット５０と接続し、yahoo（登録商標）,goo（登録商標）,google（登録商標）などの検索エンジン５１を使用して上述したキーワードに関連する対象画像を検索する。そして対象画像登録部４３は、キーワード検索実行部４２が検索エンジン５１で探し出したキーワードの対象画像５５を登録し、ＨＤＤ２３に記憶させる。なお、上述した検索エンジン５１による検索結果が複数あった場合には、検索エンジン５１に登録された時間が最も新しい画像、画像サイズが最も大きい画像、あるいは検索結果として示された回数が最も多い画像などを対象画像５５として決定すればよい。
【００１９】
キーワード画像検出部４４は、上述したキーワード画像登録部４３で登録されたキーワードの対象画像５５と一致する画像を、ＨＤＤ２３に一時保存した動画データの中から検出する。対象画像５５の検出方法としては、例えば動画データを形成する静止画フレームから顔画像を抽出し、この抽出された顔画像と対象画像５５との比較を行い、そのマッチング率が高い場合、対象画像５５と一致する画像であると判定する。
【００２０】
次に上記構成の作用について図に示すフローチャートに沿って説明する。ユーザーはＨＤＤ内蔵レコーダ１０の電源をオン状態とした後、先ず操作部２４によってモード選択を行い、録画モードを選択するとメイン制御部１２の録画処理プログラムＰＧが起動して、例えば図３に示すような放送局の選択画面６０がモニタ２９に出力され、放送受信部２６で同時受信可能な放送局の一覧６１ａ〜６１ｇが表示される。そして、ユーザーは操作部２４を操作して録画対象の放送局を入力する（ｓｔ１）。選択画面６０では、例えば選択された放送局の表示は色が変化したり、点滅したりする。なお、ユーザーが選択するのではなく、放送受信部２６で同時受信可能な全ての放送局を録画対象としてもよい。放送局の選択が終了すると、メイン制御部１２は各放送局の映像信号を受信するように放送受信部２６を制御してユーザーが選択入力した放送局、又は受信可能な全ての放送局の受信を開始する。映像信号を受信すると、この映像信号を各種信号処理して動画データを形成する。
【００２１】
また、映像信号の受信を開始したとき、メイン制御部１２はインターネット接続Ｉ／Ｆ２８を動作させて、インターネットで配信される電子番組ガイド情報を取得する。なお、このとき電子番組ガイド情報を取得する方法としては、例えば現在から１日分の放送予定の番組情報を取得し、さらに１日経過するごとに更新する。また、インターネットで配信される電子番組ガイド情報としては、例えば、番組のタイトル、放送日、番組開始時間、番組終了時間、概略の内容（ダイジェスト）、ジャンルといった情報が含まれる。
【００２２】
メイン制御部１２は、放送受信部２６で受信した映像信号に基づく動画データの全てをＨＤＤ２３に一時保存させる（ｓｔ２）。なお、この各放送局の映像信号受信及び一時録画処理が開始されると、メイン制御部１２では、各動画データに対する対象画像一致フラグ（詳しくは後述する）が起動する。なおこの対象画像一致フラグは、初期状態では「０」の設定となっており、録画プログラムＰＧの起動中は随時ＲＡＭ１１ｂに書き込まれる（ｓｔ３）。そして、メイン制御部１２は、一時録画開始と対象画像一致フラグクリアの処理をどの選択放送局について行ったか認識し（ｓｔ４）、これらの処理を全ての選択放送局について行うまで繰り返す（ｓｔ５）。
【００２３】
メイン制御部１２は、次に図４に示すキーワード選択画面６５をモニタ２９に出力する。ユーザーは操作部２４を操作して自身がテレビ放送で視聴したい人物やキャラクタに関するキーワード、例えば、タレント名やキャラクタ名などを入力する。そして、キーワード登録部４１がその入力されたキーワードを登録する。なお、前回の録画モード実行時に登録したキーワードをそのまま使用してもよい。また、本実施形態では、複数のキーワードを登録することができる。
【００２４】
キーワードが登録されると、メイン制御部１２は、キーワード検索実行部４２によってインターネット接続Ｉ／Ｆ２８を介してインターネット５０と接続し、図２に示すように、登録されたキーワードに関連する画像をインターネットの検索エンジン５１を用いて検索する（ｓｔ６）。そして、検索エンジン５１によって、キーワードに関連する画像５５が探し出されると、キーワード画像登録部４３によってその画像が対象画像５５として登録される（ｓｔ７）。
【００２５】
対象画像５５の登録が終了すると、メイン制御部１２は、ＨＤＤ２３に一時保存された各動画データに対して、所定のフレーム数、例えば、１０フレーム毎に１つの静止画フレームを抜き出し（ｓｔ８）、この抜き出した静止画フレームから、登録された対象画像５５と一致する画像の検出を行う（ｓｔ９）。対象画像が検出された場合、対象画像一致フラグを「１」にする（ｓｔ１０）。そして、メイン制御部１２は、この対象画像５５の検出処理を全ての選択放送局で開始する（ｓｔ１１）。
【００２６】
一方、メイン制御部１２は、上述した電子番組ガイド情報を参照して各放送内容（番組、コマーシャル、告知など）の終了時間に（ｓｔ１２）、対象画像一致フラグを監視する（ｓｔ１３）。このとき、対象画像一致フラグが「１」となっている場合、その放送内容に対象画像が検出されていることを認識し、その放送内容を番組開始時間から番組終了時間までＨＤＤ２３に保存、すなわち、録画した状態にする（ｓｔ１４）。また、放送内容の終了時間が過ぎたとき、対象画像一致フラグをリセットして「０」にする（ｓｔ１６）。
【００２７】
一方、放送内容の終了時間に対象画像一致フラグが「１」になっていない場合は、対称画像が一度も検出されていないことを認識し、その放送内容について、一時保存されている動画データをＨＤＤ２３から全て削除する（ｓｔ１５）。なお、コマーシャルなどは、電子番組ガイド情報には、情報が配信されない場合がある。そこで、例えば、対象画像一致フラグが「１」になったとき、その時間に該当する番組が無かった場合は、情報が配信されない放送内容（コマーシャル、放送局からの告知など）の時間であるとメイン制御部１２は判断し、この時間の前の番組が終了する時間から、次の番組が開始する時間までの放送内容をＨＤＤ２３に保存させるようにしてもよい。あるいは、番組情報が配信されない放送内容の時間では、対象画像が検出された静止画フレームとその前後の所定フレーム数（本実施形態では１０フレーム）の分だけを保存させるようにしてもよい。
【００２８】
さらに、メイン制御部１２は、キーワードの対象画像５５が検出された放送内容の動画データを保存するときには、例えば図５に示すようなファイル構造で保存する。すなわち、録画した動画データ６５に、対象画像登録部４３に登録済み且つ動画データ６５から検出された画像と一致する対象画像５５と、動画データ６５の放送内容に対応する電子番組ガイド情報からの情報データ６６とを添付した動画データファイル６７としてＨＤＤ２３内に保存する。また、電子番組ガイド情報に該当する番組が無い場合は、例えば該当番組無しなどのタイトルと録画時間とからなる情報を添付する。なお、これらに限らず、動画データ６５と対対象画像５５とを関連付けして保存すればよく、例えば動画データ６５と対象画像５５とは別々の場所に保存し、且つ動画データ６５に対応する対象画像５５のファイル名を示すデータなどを動画データ６５に付与して記憶させる構成としてもよい。
【００２９】
なお、本実施形態においては、上記の一時録画処理中に登録済みのキーワード削除を行うことが可能となっており。上述の放送内容の保存、又は削除の処理を行った後、メイン制御部１２は、登録キーワードが削除されているか否かを確認し（ｓｔ１７）、変更が無い場合は、上述の処理を繰り返し、登録キーワードが削除されている場合には、録画処理プログラムＰＧを終了する。
【００３０】
このようにして、ユーザーの所望する放送内容の録画を簡単な手間で、容易に行うことが可能であり、電子番組ガイド情報に出演者としてキーワードの人物などが掲載されていない場合でも、その人物などを検出して放送内容を録画することが可能であり、さらにコマーシャルなど電子番組ガイド情報に番組として配信されていない放送内容でも、キーワードの人物が出演していれば録画することができる。また、録画した放送内容を再生するときには、例えば図６に示すような再生選択画面７０がモニタ２９に表示される。この再生選択画面７０は、上述した動画データ６５に対応する電子番組ガイド情報のデータ６６と、リファレンス画像としての対象画像５５からなるメニュー７１が表示され、ユーザーはこれらのメニュー７１を見ながら操作部２４を操作して再生する動画データ６５を選択する。これにより、ユーザーは放送内容を容易に識別し、再生する動画データ６５を決定することができるため利便性が向上する。
【００３１】
なお、上記実施形態においては、番組などの放送終了時間毎に対象画像一致フラグを監視して、対象画像が検出された放送内容の保存、及び対象画像が検出されなかった放送内容の削除を即時処理で行っているが、本発明は、これに限らず、例えば、映像信号に基づく動画データを全てＨＤＤ２３に一時保存しておき、録画開始から１日経過する毎に、又は１日に１回所定の時刻毎に、この１日分の動画データから所定フレーム毎に抜き出した静止画フレームから対象画像の検出を行い、対象画像が検出された放送内容の保存、検出されなかった放送内容の削除を一括して処理するようにしてもよいし、あるいは対象画像の検出を即時処理で行い、且つその検出結果（対象画像一致フラグ）を一定時間毎に記憶しておき、この検出結果及び電子番組ガイド情報に基づいて放送内容の保存及び削除を一括して処理するようにしてもよい。
【００３２】
なお、上記実施形態においては、映像信号に基づく動画データを記憶する記憶手段としてＨＤＤを備えたＨＤＤ内蔵レコーダを例示して説明しているが、本発明はこれに限らず、大容量の記憶メディアに記憶するメディア記憶方式の録画再生装置に適用してもよく、ＨＤＤ内蔵方式とメディア記憶方式とを両方備えた録画再生装置に適用してもよい。
【００３３】
また、上記実施形態においては、インターネットで配信される電子番組ガイド情報を取得して使用しているがこれに限らず、他の方式、例えばアナログ又はデジタルの放送信号で配信される電子番組ガイドを受信する構成としてもよい。
【図面の簡単な説明】
【００３４】
【図１】本発明を適用したＨＤＤ内蔵レコーダの概略的な構成を示すブロック図である。
【図２】録画プログラムを実行するときのシーケンスを示すフローチャートである。。
【図３】放送局選択画面を示す説明図である
【図４】キーワード入力画面を示す説明図である。
【図５】動画データを保存するときのファイル構造の一例を示す説明図である。
【図６】動画再生を行うときの選択画面表示を示す説明図である。
【符号の説明】
【００３５】
１０  ＨＤＤ内蔵レコーダ（録画再生装置）
１２  メイン制御部
２３  ＨＤＤ
２６  放送受信部
４１  キーワード登録部
４２  キーワード検索実行部
４３  対象画像登録部
４４  対象画像検出部
【図１】
2008160556.tif 000003
【図２】
2008160556.tif 000004
【図３】
2008160556.tif 000005
【図４】
2008160556.tif 000006
【図５】
2008160556.tif 000007
【図６】
2008160556.tif 000008